(57)【要約】【課題】簡易な構成で取り扱いが容易であり、かつ廉価な部材で構成可能なペットの排泄物回収袋を提供する。【解決手段】ペットの排泄物の収納が可能な袋部１ａ、及び、袋部１ａの開口部１ｂに対向して設けられ輪状をなす１対の輪状延出部１ｃを有する袋１と、輪状延出部１ｃを伸ばしたときに開口部１ｂから最も離れる部分に中央部が結び付けられた輪状延出部１ｃ毎の紐とを備え、一方の輪状延出部１ｃ内にペットの尾が挿入されて背部側に配置されると共に他方が腹部側に配置され、袋部１ａが開口部１ｂを介して排泄物を受けることができるペットの下腹部に取り付けられるように、各輪状延出部１ｃに結ばれた紐がそれぞれペットの胴体を取り囲んで結ばれる構成を有している。【選択図】図１
0003137753.tif 000002
【実用新案登録請求の範囲】
【請求項１】
ペットの排泄物の収納が可能な袋部、及び、前記袋部の開口部に対向して設けられ輪状をなす１対の輪状延出部を有する袋と、前記輪状延出部を伸ばしたときに前記開口部から最も離れる部分に中央部が結び付けられた前記輪状延出部毎の紐とを備え、一方の前記輪状延出部内に前記ペットの尾が挿入されて背部側に配置されると共に他方が腹部側に配置され、前記袋部が前記開口部を介して前記排泄物を受けることができる前記ペットの下腹部に取り付けられるように、前記各輪状延出部に結ばれた前記紐がそれぞれ前記ペットの胴体を取り囲んで結ばれることを特徴とするペットの排泄物回収袋。
【請求項２】
一方の前記輪状延出部との結び付け部分から伸びていく紐の各部分がそれぞれ３５〜５５ｃｍの範囲内の長さを有し、他方の前記輪状延出部との結び付け部分から伸びていく紐の各部分がそれぞれ５５〜７５ｃｍの範囲内の長さを有することを特徴とする請求項１に記載のペットの排泄物回収袋。
【考案の詳細な説明】
【技術分野】
【０００１】
本考案は、犬又は同様のペットが排泄する糞尿等の排泄物を回収するためのペットの排泄物回収袋に関する。
【背景技術】
【０００２】
犬の散歩の途中で火バサミ等を用いて糞を掴み上げ袋に入れる光景は、しばしば見られる。このような回収方法では、手間がかかると共に体裁もよくない。しかも、路上に落ちた糞を掴み上げるのでは、路面を汚してしまうことになる。このような不便、不都合等を解消するため、犬に予め金具の付いたベルトを装着しておき、この金具に糞収納袋を取り付けたり取り外したりするものが知られている（例えば、特許文献１参照。）。
【特許文献１】特開平１１−１２７７１６号公報
【考案の開示】
【考案が解決しようとする課題】
【０００３】
しかしながら、従来の犬の排泄物の回収技術では、構造が複雑で取り扱いづらく、かつ高価である等の部材を使用することになるという問題を有していた。
【０００４】
以上の現状に鑑み、本考案の目的は、簡易な構成で取り扱いが容易であり、かつ廉価な部材で構成可能なペットの排泄物回収袋を提供する。
【課題を解決するための手段】
【０００５】
上記の課題を解決すべく、本考案は以下の構成を提供する。
請求項１に係る考案は、ペットの排泄物の収納が可能な袋部、及び、前記袋部の開口部に対向して設けられ輪状をなす１対の輪状延出部を有する袋と、前記輪状延出部を伸ばしたときに前記開口部から最も離れる部分に中央部が結び付けられた前記輪状延出部毎の紐とを備え、一方の前記輪状延出部内に前記ペットの尾が挿入されて背部側に配置されると共に他方が腹部側に配置され、前記袋部が前記開口部を介して前記排泄物を受けることができる前記ペットの下腹部に取り付けられるように、前記各輪状延出部に結ばれた前記紐がそれぞれ前記ペットの胴体を取り囲んで結ばれることを特徴とする。
【０００６】
請求項２に係る考案は、請求項１に記載のペットの排泄物回収袋において、一方の前記輪状延出部との結び付け部分から伸びていく紐の各部分がそれぞれ３５〜５５ｃｍの範囲内の長さを有し、他方の前記輪状延出部との結び付け部分から伸びていく紐の各部分がそれぞれ５５〜７５ｃｍの範囲内の長さを有することを特徴とする。
【考案の効果】
【０００７】
請求項１に係る考案によれば、ペットの排泄物の収納が可能な袋部、及び、袋部の開口部に対向して設けられ輪状をなす１対の輪状延出部を有する袋と、輪状延出部を伸ばしたときに開口部から最も離れる部分に中央部が結び付けられた輪状延出部毎の紐とを備え、一方の輪状延出部内にペットの尾が挿入されて背部側に配置されると共に他方が腹部側に配置され、袋部が開口部を介して排泄物を受けることができるペットの下腹部に取り付けられるように、各輪状延出部に結ばれた紐がそれぞれペットの胴体を取り囲んで結ばれるため、簡易な構成で取り扱いが容易であり、かつ廉価な部材で構成可能なペットの排泄物回収袋を実現することができる。
【０００８】
請求項２に係る考案によれば、上記請求項１の効果に加えて、一方の輪状延出部との結び付け部分から伸びていく紐の各部分がそれぞれ３５〜５５ｃｍの範囲内の長さを有し、他方の輪状延出部との結び付け部分から伸びていく紐の各部分がそれぞれ５５〜７５ｃｍの範囲内の長さを有するため、より取り扱いを容易にすることができる。
【考案を実施するための最良の形態】
【０００９】
以下、実施例を示した図面を参照しつつ本考案の実施の形態について説明する。
図１は、本考案によるペットの排泄物回収袋の一実施例を模式的に示す、（ａ）側面図、及び（ｂ）正面図である。ペットの排泄物回収袋１０は、図１に示すように、袋部１ａ、袋部１ａの開口部１ｂの対向する部分に設けられ輪状をなす１対の輪状延出部１ｃを有し、開口部１ｂから犬等のペットの糞尿を収納可能な袋１と、各輪状延出部１ｃにそれぞれ設けられた紐２とを備える。
【００１０】
ここで、袋１は、例えばビニール等の樹脂素材からなり、その寸法はペットの大きさに合わせて決定される。例えば犬については、袋部１ａは縦が２２ｃｍ程度で横が約１５ｃｍ程度の大きさで、輪状延出部１ｃは開口部１ｂから１０ｃｍ程度突出するのが１つの好適な例である。また、袋１は、乳白色等に着色されたものが、収容物を見えづらくでき好適である。
【００１１】
紐２は、同様に、例えばビニール等の樹脂素材からなり、その寸法はペットの大きさに合わせて決定される。また、紐２は、それぞれ、輪状延出部１ｃの中央部分に結び付けられ、結び付けられた部分を中心に両側に同程度の長さで開放端として伸びている。例えば犬の場合では、輪状延出部１ｃの紐２の各開放端の長さを、一方の輪状延出部１ｃについては３５〜５５ｃｍ程度の範囲内とし、他方の輪状延出部１ｃについては５５〜７５ｃｍ程度の範囲内とするのが好ましく、特に、一方の輪状延出部１ｃについては４５ｃｍ程度とし、他方の輪状延出部１ｃについては６５ｃｍ程度とするのがさらに好ましい。以下、開放端の短い方の紐を短開放端紐といい、短開放端紐が結ばれた紐を短開放端輪状延出部という。同様に、開放端の長い方の紐を長開放端紐といい、長開放端紐が結ばれた紐を長開放端輪状延出部という。
【００１２】
以下、本発明によるペットの排泄物回収袋の使用方法について図面を参照して説明する。図２〜図５は、犬を例に取りペットの排泄物回収袋の使用方法について説明する図である。図２は雄犬の（ａ）排便と（ｂ）排尿についての全体図であり、図３は雌犬についての全体図であり、図４は雄犬の排尿についての詳細図であり、図５は雌犬の各排泄についての詳細図である。
【００１３】
初めに、雄犬の排便について説明する。
まず、図２（ａ）に示すように、ペットの排泄物回収袋１０の短開放端輪状延出部の輪に、犬Ｄの尾Ｔを通す（工程１）。この結果、犬Ｄの肛門はペットの排泄物回収袋１０の開口部に位置することになる。
【００１４】
次に、図２（ａ）に示すように、長開放端輪状延出部を犬Ｄの腹部側に位置させ、犬Ｄの脇腹を取り囲むように長開放端紐を巻き付けて相互に結ぶ（工程２）。
【００１５】
次に、同様に図２（ａ）に示すように、犬Ｄの脇腹を取り囲むように短開放端紐を巻き付けて相互に結ぶ（工程３）。これによって、袋部１ａは、雄犬の後ろ側下方に取り付けられ、排泄物を収容可能になる。
【００１６】
次に、雄犬の排尿について説明する。
まず、図２（ｂ）又は図４に示すように、ペットの排泄物回収袋１０の開口部内に犬Ｄの陰茎を収容し（工程１）、犬Ｄの脇腹を取り囲むように短開放端紐を巻き付けて相互に結び（工程２）、犬Ｄの脇腹を取り囲むように長開放端紐を巻き付けて相互に結ぶ（工程３）。これによって、袋部１ａは、雄犬の下腹部の下方に取り付けられ、排泄物を収容可能になる。
【００１７】
次に、雌犬の排便及び排尿について説明する。
まず、図３又は図５に示すように、ペットの排泄物回収袋１０の開口部内に雌犬の肛門等を収容し（工程１）、犬Ｄの脇腹を取り囲むように短開放端紐を巻き付けて相互に結び（工程２）、犬Ｄの脇腹を取り囲むように長開放端紐を巻き付けて相互に結ぶ（工程３）。これによって、袋部１ａは、雌犬の後ろ側下方に取り付けられ、排泄物を収容可能になる。
【００１８】
尚、上記では、各紐が対応する輪状延出部に結び付けられて固定される、図１に示す構成のペットの排泄物回収袋について説明したが、ペットの排泄物回収袋は、例えば図６に示すように、各紐４がそれぞれ輪状延出部３に、接着剤で固定されるのでも、粘着テープを介して固定されるのでも、樹脂を部分的に融かして固定されるのでも、その他の方法で固定されるように構成されるのでもよい。
【図面の簡単な説明】
【００１９】
【図１】本考案によるペットの排泄物回収袋の一実施例を模式的に示す、（ａ）側面図、及び（ｂ）正面図である。
【図２】雄犬を例に取りペットの排泄物回収袋の使用方法について説明する全体図であり、（ａ）排便、及び（ｂ）排尿である。
【図３】雌犬を例に取りペットの排泄物回収袋の使用方法について説明する全体図である。
【図４】雄犬を例に取り排尿の場合のペットの排泄物回収袋の使用方法について説明する詳細図である。
【図５】雌犬を例に取りペットの排泄物回収袋の使用方法について説明する詳細図である。
【図６】本考案によるペットの排泄物回収袋の他の実施例を模式的に示す、（ａ）側面図、及び（ｂ）正面図である。
【符号の説明】
【００２０】
１  袋
１ａ  袋部
１ｂ  開口部
１ｃ  輪状延出部
２  紐
３  袋
４  紐
１０、２０  ペットの排泄物回収袋
Ｄ  犬
Ｔ  尾
【図１】
0003137753.tif 000003
【図２】
0003137753.tif 000004
【図３】
0003137753.tif 000005
【図４】
0003137753.tif 000006
【図５】
0003137753.tif 000007
【図６】
0003137753.tif 000008